(57)【要約】引き戸の戸板（Ｄ）を吊すための取付具（１）は、提供される。前記取付具（１）は、ベースプレート（２）を戸板（Ｄ）に取り付けるための手段（８、９）を有するベースプレート（２）、前記取付具がスライド経路（Ｐ）に沿うレール（Ｒ）によって案内されることを許容するための前記ベースプレート（２）に取り付けられる支持手段（３）、および、前記ベースプレート（２）の平面に対して角度（α、β）で前記ベースプレート（２）の横方向端部から延びる部分（５ｂ、５ｄ）を有するシャンク（５）、を備える。前記取付具（１）は、前記シャンク（５）に取り付けられて、前記シャンクの部分（５ｂ、５ｄ）の平面に対して実質的に垂直な軸（Ａ）の周りの反リフティング装置（４）の回転移動によってアイドル位置とロック位置との間を移動可能な反リフティング装置（４）をさらに備える。【選択図】図３
2014520223.tif 000002
【特許請求の範囲】
【請求項１】
引き戸の戸板（Ｄ）を吊すための取付具（１）であって、前記取付具（１）は、ベースプレート（２）を戸板（Ｄ）に取り付けるための手段（８、９）を有するベースプレート（２）、前記取付具がスライド経路（Ｐ）に沿うレール（Ｒ）によって案内されることを許容するための前記ベースプレート（２）に取り付けられる支持手段（３）、および、前記ベースプレート（２）の平面に対して角度（α、β）で前記ベースプレート（２）の横方向端部から延びる部分（５ｂ、５ｄ）を有するシャンク（５）、を備え、
前記取付具（１）は、前記シャンク（５）に取り付けられて、前記シャンクの部分（５ｂ、５ｄ）の平面に対して実質的に垂直な軸（Ａ）の周りの反リフティング装置（４）の回転移動によってアイドル位置とロック位置との間を移動可能な反リフティング装置（４）をさらに備える、
取付具（１）。
【請求項２】
前記角度（α、β）は、前記ベースプレート（２）の前記平面の横方向に対して４５°と１３５°との間であり、好ましくは９０°であり、前記ベースプレート（２）の前記平面の縦方向に対して４５°と１３５°との間であり、好ましくは９０°である、請求項１に記載の取付具。
【請求項３】
前記反リフティング装置（４）は、当該反リフティング装置（４）が前記アイドル位置から前記ロック位置まで移動するときに減少する前記支持手段（３）からの縦方向距離に配置される、請求項１または２に記載の取付具。
【請求項４】
前記支持手段（３）はローラである、請求項１〜３のいずれか１項に記載の取付具。
【請求項５】
前記ベースプレート（２）を戸板（Ｄ）に取り付けるための前記手段（８、９）は、留め具を受け入れるための少なくとも１つの貫通孔を含む、請求項１〜４のいずれか１項に記載の取付具。
【請求項６】
前記少なくとも１つの貫通孔（９）は、戸板（Ｄ）に対する前記取付具の鉛直調整を許容するための横方向の延長よりもわずかに大きい縦方向の延長を有する、請求項５に記載の取付具。
【請求項７】
戸板（Ｄ）に対する前記支持手段（３）のさらなる鉛直調整を許容するための戸板（Ｄ）の穴と係合するように構成される少なくとも１つの偏心器（８）をさらに備える、請求項５または６に記載の取付具。
【請求項８】
前記シャンク（５）は、前記ベースプレート（２）に取り付けられて、前記ベースプレート（２）と実質的に平行に延びる第１の部分（５ａ）、および、前記ベースプレート（２）の前記平面に対して前記角度（α）で前記第１の部分（５ａ）から延びる第２の部分（５ｂ）を備える、請求項１〜７のいずれか１項に記載の取付具。
【請求項９】
前記シャンク（５）は、前記ベースプレート（２）に取り付けられて、前記ベースプレート（２）と実質的に平行に延びる第１の部分（５ａ）、前記ベースプレート（２）の前記平面に対して前記角度（α）で前記第１の部分から延びる第２の部分（５ｂ）、前記第２の部分から延びて、前記第１の部分と実質的に平行である第３の部分（５ｃ）、および前記ベースプレート（２）の前記平面に対して前記角度（β）で前記第３の部分（５ｃ）から延びる第４の部分（５ｄ）備える、請求項１〜７のいずれか１項に記載の取付具。
【請求項１０】
前記シャンク（５）は、突起（６）を備え、前記反リフティング装置（４）は、前記アイドル位置および前記ロック位置を定めるように構成される対応する凹所（７）を備える、請求項１〜９のいずれか１項に記載の取付具。
【請求項１１】
前記凹所（７）は、前記反リフティング装置（４）の前記回転軸（Ａ）の周りに半円形に延びて、前記ロック位置において前記突起（６）のスナップロックを提供するように構成される隆起を備える、請求項１０に記載の取付具。
【請求項１２】
前記反リフティング装置（４）は、自動閉鎖機構のフックと係合するためのキャッチ部材（１０）を備える、請求項１〜１１のいずれか１項に記載の取付具。
【請求項１３】
請求項１〜１２のいずれか１項に記載の取付具（１）を備える戸板（Ｄ）。
【請求項１４】
ガイドレール（Ｒ）および、請求項１３に記載の少なくとも１つの戸板（Ｄ）を備える、引き戸システム。
【請求項１５】
前記ガイドレール（Ｒ）は、自動閉鎖装置が前記反リフティング装置（４）とそのロック位置において係合可能で、しかしそのアイドル位置においてそうでないように配置される自動閉鎖装置を備える、請求項１４に記載の引き戸システム。
【請求項１６】
引き戸システムを提供する方法であって、
請求項１３に記載の戸板（Ｄ）を提供するステップ、
前記戸板（Ｄ）の前記取付具（１）の前記反リフティング装置（４）を前記アイドル位置に動かすステップ、
前記戸板をガイドレール（Ｒ）上に吊すステップ、および、
前記戸板（Ｄ）の前記取付具（１）の前記反リフティング装置（４）を前記アイドル位置から、前記戸板が前記ガイドレール（Ｒ）から取り外されるのを防止するためのロック位置まで動かすステップ、
を含む方法。
【発明の詳細な説明】
【技術分野】
【０００１】
本発明は、引き戸の戸板を吊すための取付具に関する。より詳しくは、本発明は、引き戸の吊し位置からの意図しない取り外しを防止するための反リフティング装置を有する取付具に関する。
【背景技術】
【０００２】
引き戸は、概して、ガイドレールに沿ってスライド／ロール移動するための戸板を支持するように構成される支持車輪を備える取付具を用いて吊される。時々、取付具は、引き戸の吊し位置からの取り外しを選択的に許容するかまたは妨げるための可動ストップ部材を備える。
【０００３】
この種の１つの取付具は、特許文献１に記載されている。特許文献１において、可動ストップ部材は、取付具の上端とガイドレールとの間の空間から届くことができ、引き戸のスライド方向に対して垂直方向にストップ部材を手動で押すことによってロック位置へ移動するように配置される。
【０００４】
この種の解決策は、ユーザの視点から扱えるためむしろ扱いにくい。したがって、反リフティング機能性を有する改良された取付具の必要がある。
【０００５】
さらに、引き戸システムは、引き戸を閉位置へと自動的に引くおよび／またはその開位置まで押された戸の衝撃を弱めるための自動閉鎖機構をしばしば備える。この目的のために、引き戸は、自動閉鎖機構と係合するための係合装置を備えていてよい。
【０００６】
この種の開放／閉鎖装置の課題は、戸との係合のせいで、戸がその正常な吊し位置から意図的にまたは意図せずに持ち上げられるときに、装置が破損しやすいということである。１つ以上の上記した欠陥を緩和する取付具は、したがって、有益である。
【先行技術文献】
【特許文献】
【０００７】
【特許文献１】欧州特許第１３８８６３１号
【発明の概要】
【発明が解決しようとする課題】
【０００８】
本発明の目的は、戸、ブラケットおよび／または任意の関連する柔らかく閉鎖するかまたは押して開放する装置の損壊が防止されるというような、ガイドレール上のその正常な位置からの引き戸の安全な取り外しを可能にする取付具を提供することである。
【０００９】
本発明のさらなる目的は、戸の取り付けおよび取り外しを容易にするためのよりユーザーフレンドリーな取付具を提供することである。
【００１０】
本発明のまださらなる目的は、より用途が広い取付具を提供して、したがって、引き戸システムの構成要素の個数を削減することである。
【００１１】
このおよび他の目的は、添付の請求の範囲による取付具、戸板、引き戸システムおよび方法によって達成される。
【課題を解決するための手段】
【００１２】
本発明の第１の態様によれば、引き戸の戸板を吊すための取付具は、提供される。前記取付具は、ベースプレートを戸板に取り付けるための手段を有するベースプレート、取付具がスライド経路に沿うレールによって案内されることを許容するためのベースプレートに取り付けられる支持手段、および、ベースプレートの平面に対してある角度でベースプレートの横方向端部から延びる部分を有するシャンク、を備える。前記取付具は、シャンクに取り付けられて、シャンクの部分の平面に対して実質的に垂直な軸の周りの反リフティング装置の回転移動によってアイドル位置とロック位置との間を移動可能な反リフティング装置をさらに備える。
【００１３】
回転軸がブラケットのスライド経路と平行であるので、反リフティング装置に作用する自動閉鎖装置からの力は、反リフティング装置の回転を生じさせない。
【００１４】
さらに、反リフティング装置がベースプレートから実質的に垂直にベースプレートの横方向縁部から延びるので、反リフティング装置をアイドル位置とロック位置との間で届いて、見て、動かすことは、容易である。また、反リフティング装置および付随する装置（例えば、自動閉鎖装置または押し開き装置）が、戸が持ち上げられる前に分離されることを、人は、より容易に制御することができる。これは、今度は、付随する装置およびブラケットに対する損壊の危険を下げる。
【００１５】
本発明の第２の態様によれば、本発明の第１の態様による取付具を備える戸板は、提供される。
【００１６】
本発明の第３の態様によれば、ガイドレールおよび、本発明の第２の態様による少なくとも１つの戸板を備える引き戸システムは、提供される。
【００１７】
前記ガイドレールは、自動閉鎖装置が反リフティング装置とそのロック位置において係合可能で、しかしそのアイドル位置においてそうでないように配置される自動閉鎖装置を備えてよい。
【００１８】
本発明の第４の態様によれば、引き戸システムを提供する方法は、提供される。方法は、本発明の第２の態様による戸板を提供するステップ、戸板の取付具の反リフティング装置をアイドル位置に動かすステップ、戸板をガイドレール上に吊すステップ、および、戸板の取付具の反リフティング装置をアイドル位置から、戸板がガイドレールから取り外されるのを防止するためのロック位置まで動かすステップ、を含む。
【００１９】
第１の態様の利点は、第２、第３、第４の態様にも適用できる。
【００２０】
本発明の実施形態は、添付図面を参照してここに記載される。
【図面の簡単な説明】
【００２１】
【図１】図１は、本発明の一実施形態による取付具の斜視図を示す。
【図２】図２は、図１に示される取付具の正面図を示す。
【図３】図３は、図１、図２に示される取付具の側面図を示す。
【図４】図４は、図１〜図３に示される取付具の平面図を示す。
【図５】図５は、さらなる実施形態による取付具の斜視図を示す。
【図６】図６は、図５に示される取付具の正面図を示す。
【図７】図７は、図５、図６に示される取付具の側面図を示す。
【図８】図８は、図５〜図７に示される取付具の平面図を示す。
【発明を実施するための形態】
【００２２】
図１〜図４を参照して、引き戸の戸板の取付具１は、示される。取付具１は、戸板ＤをガイドレールＲ上にスライド可能に吊すために適している。取付具１は、戸板Ｄに取り付けられるように構成されるベースプレート２を含む。取付具１は、支持車輪３をさらに備える。そしてそれは、ベースプレート２が実質的に延びる平面の標準に対してまたはそれを通って垂直な回転軸を有する。支持車輪３は、ベースプレート２の上部に配置される。支持車輪３は、他の支持手段（例えば、支持ローラまたは、ベースプレート２と実質的に平行に延びるスライド面を有する部材のような他の好適な支持スライダ）によって交換されてよい。そして、前記スライド面は、スライド面がガイドレールＲと接触しているときに、戸板ＤがガイドレールＲに沿って気持ちよくスライドするのを許容する摩擦を有する。したがって、支持手段３は、取付具１を前記レールＲ上にスライド可能に支持するように構成される。取付具１はまた、シャンク５を介してベースプレート２に取り付けられる反リフティング装置４を備える。シャンク５は、ベースプレート２の平面に対して垂直で、かつ支持車輪３の回転軸に対して平行な平面において延びる。そうすると、取付具が前記ガイドレールＲ上に配置されるときに、シャンクは、ガイドレールＲの長手方向軸に対して横方向に、かつ鉛直平面において延びる。反リフティング装置４は、次いで、シャンク５の遠位端に配置されるピボットアームである。ピボットアームは、シャンク５と同じ平面において旋回可能である。ピボットアームは、ピボットアームの近位の領域でシャンク５の遠位の領域に接続している。そうすると、ピボットアームの遠位の領域は、ガイドレールＲに関して異なる位置へと鉛直面（そして、ガイドレールＲの長手方向軸に関して横方向の面）において回転してよい。
【００２３】
ベースプレート２は、ネジまたは他の適切な留め具を受け入れるための非円形の形状を有する４つの貫通孔９を含む。そしてその貫通孔９は、ネジの直径に対応する幅、および幅よりもわずかに大きい高さを有する。貫通孔９の非円形の形状は、戸板Ｄに対する取付具の鉛直調整を提供する。貫通孔９の個数は、４以外（例えば２、３または５）でもよい。
【００２４】
さらに、ベースプレート２は、戸板Ｄの穴によって受け入れられるように構成される偏心器８を備える。偏心器は、戸板Ｄに対する取付具のさらなる鉛直調整の性能を提供する。
【００２５】
あるいは、ベースプレート２は、接着剤によって戸板Ｄに取り付けられるのに適した表面を有する裏側を備えていてよい。裏側の表面は、粗くてよく、または、取付具に対する接着剤の接合特性を改善するためのプライマを備えていてよい。戸板Ｄがもろい材料（例えばガラス）でできている場合、この実施形態は、特に有利である。
【００２６】
反リフティング装置４は、アイドル位置とロック位置との間の移動のためのシャンク５を介して、ベースプレート２に取り付けられる。アイドル位置において、レールＲからの取付具１の取り外しは、許可される、ロック位置において、レールＲからの取付具１の取り外しは、防止される。この機能性は、反リフティング装置４のピボットアームのせいで達成される。ピボットアームがアイドル位置からロック位置までシャンク５の平面において上向きに回転するとき、反リフティング装置４とガイドレールＲの下部との間の距離は、減少する。そうすると、反リフティング装置４がそのロック位置にあるときに、戸板Ｄは、傾けられなくてよく、ガイドレールＲから取り外されなくてよい。
【００２７】
ベースプレート２から実質的に垂直にベースプレート２の横方向の側から延びるシャンク５によって、反リフティング装置４は、ベースプレート２に取り付けられる。さらに、取付具１が戸板Ｄに取り付けられるときに、反リフティング装置４が取付具１のスライド経路Ｐに対して実質的に平行な軸Ａの周りに回転可能であるように、反リフティング装置４およびシャンク５は、配置される。
【００２８】
シャンク５は、ベースプレート２に取り付けられる第１の部分５ａを有する。シャンク５の第１の部分５ａは、ベースプレート２の平面と平行に延びる。好ましくは、シャンク５の第１の部分５ａは、ベースプレート２と戸板Ｄとの間に形成される空間において第１の部分５ａが保持されるように、ベースプレート２の溝に差し込まれる。第２の部分５ｂは、ベースプレートの平面に対して角度αで、好ましくは、ベースプレート２の平面の縦方向に対して４５°〜１３５°の範囲内で、かつベースプレート２の平面の横方向に対して４５°〜１３５°の範囲内で、第１の部分５ａから延びる。より好ましくは、角度αは、ベースプレート２の平面の縦方向に対して９０°で、かつベースプレート２の平面の横方向に対して９０°である。第２の部分５ｂは、さらに、取付具１が配置されるガイドレールＲの長手方向軸に対して横方向に延びる。したがって、シャンク５は、Ｌ字形状を有する。反リフティング装置４（例えばピボット）は、第２の部分５ｂの遠位の領域でシャンク５に取り付けられる。
【００２９】
図１、図３に示すように、シャンク５および反リフティング装置４は、それぞれ、突起６および対応する凹所７を備える。そしてそれは、前記アイドル位置とロック位置との間におけるシャンク５と反リフティング装置４との間の相対的な移動を制限するように構成される。前記突起６を提供するためのピンまたは鋲は、シャンク５に取り付けられる。そして、凹所７は、反リフティング装置４の回転軸Ａの周りに半円形状の凹所の形で反リフティング装置４に設けられる。前記閉位置において突起６のスナップロックを提供するための隆起または瘤（図示せず）は、凹所７の縁部に設けられる。
【００３０】
突起は、それがさらなる移動を防止する凹所の端部に到達するまで、凹所の中を移動することができる。これは、部分間の相対的な移動を制御する簡単な方法を提供する。
【００３１】
半円形状は、突起の回転移動経路に対応する。そして、これにより、凹所が設けられる部分の改良された強度を提供するためにより多くの材料が凹所の周りに利用できるように、凹所の大きさは、減少することができる。また、半円形の凹所の２つの端部は、凹所内での突起のさらなる移動を防止するための別個のストッパを提供する。また、スナップロックが凹所の選択部分で（例えば端部で）達成されるように、隆起は、前記凹所内での突起の動きをわずかに妨げる。設けられるスナップロックは、例えば振動により、アイドル位置とロック位置との間で反リフティング装置を動かすユーザに触覚フィードバックを与えて、そして、反リフティング装置の偶然の移動も防止する。
【００３２】
さらなる実施形態によれば、取付具１は、図５〜図８に示される。ここで、すべての参照番号は、図１〜図４に示されるそれらの構造の構成要素と同じである。その結果、ベースプレートおよび反リフティング装置を含む取付具は、図１〜図４に関して以前に記載されたそれらの構成要素と同じ特性をすべて共有する。しかしながら、ベースプレートは、後述するようにＵ字形状のベースプレートである。
【００３３】
さらに、シャンク５は、４つの部分５ａ〜５ｄを含む。反リフティング装置４は、シャンク５の第４の部分５ｄに取り付けられる。第４の部分５ｄは、部分５ａ〜５ｄの中で最も遠位の部分である。第１の部分５ａおよび第２の部分５ｂは、以前に記載されたものと同じ構造特性を有する。しかしながら、第３の部分５ｃは、第２の部分５ｂに遠位に取り付けられて、第１の部分５ａと平行な平面において、かつ取付具１がガイドレールＲ上に配置されるときに鉛直面において延びる。それ故、第３の部分５ｃは、垂直な角度で第２の部分５ｂに接続している。第１、第２、第３の部分５ａ〜５ｃは、次いで、Ｕ字形状を形成する。第４の部分５ｄは、さらに、角度βで第３の部分５ｃの遠位端に接続して、第３の部分５ｃから外へ第２の部分５ｂと平行な平面において延びる。それ故、図５〜図８に示されるシャンク５は、反リフティング装置４が取付具１からより大きい距離に配置されることを提供する。
【００３４】
第３の部分５ｃは、部分５ａ、５ｃ間に空間を提供するために好ましくは第１の部分５と平行に配置される。しかしながら、角度αおよびβ（第２の部分５ｂと第４の部分５ｄとが接続される）は、取付具の異なる実施形態にしたがって変化してよい。例えば、αは８０°でよく、一方、βは１００°でよい。
【００３５】
対応して、ローラ３は、ベースプレート２の延長を介して、ベースプレート２から同程度の距離に設けられる。この実施形態において、ベースプレート２は、Ｕ字形状である。ベースプレート２は、Ｕ字形状の近位の脚部で戸板Ｄ２に接続している。一方、ローラ３は、Ｕ字形状の遠位の脚部でベースプレート２に接続している。ローラ３は、さらに、ベースプレート２の遠位の脚部の戸板Ｄ２から外向きに面する側に接続している。
【００３６】
図５〜図８に示される取付具１は、図１〜図４に示すような取付具１によって好ましくは吊される内側の戸板Ｄの外側に、スライドする戸板Ｄ２を吊すことができる。
【００３７】
それ故、４つの部分のシャンク５を設けることによって、内側の戸板Ｄは、ベースプレート２とシャンク５の第３の部分５ｃとの間の距離によって形成される空間を、そして、Ｕ字形状のベースプレートの脚部間に形成される空間を占有することができる。
【００３８】
ベースプレート２は、シートメタルの部品でよい。シャンク５は、２本の鋲によってベースプレート２に取り付けられるシートメタルの部品でもよい。他の実施態様において、シャンク５は、曲がったシートメタル上の１つの部品の形においてベースプレート２とともに統合して作られてよい。ベースプレート２およびシャンク５のその他の材料（例えば、高分子材料または異なる合成材料）は、考慮されてもよい。
【００３９】
反リフティング装置４は、射出成形プラスチックの部品でよい。但し、その他の材料および製造方法は、他の実施形態にしたがって用いられてよい。反リフティング装置４が高分子材料で作られるときに、アイドル位置およびロック位置の静電気は、強められてよい。なぜなら、以前に上記されているように、高分子材料は、アイドル位置とロック位置との間のスナップ機能を許容するからである。
【００４０】
自動閉鎖装置（図示せず）は、取付具１との係合のためにガイドレールＲにさらに取り付けられてよい。この文脈において、ばね付勢の留め金を有する自動閉鎖装置は、当業者に知られた形である。そしてそのばね付勢は、隆起を閉鎖位置に引き込むために留め金と隆起との間の相互作用に際して解放される。これにより、取付具１は、その横に位置する反リフティング装置４がまた自動閉鎖装置の係合する適切な係合部を提供するという点で、有利である。取付具１が自動閉鎖装置と結合されるときに、取付具１と自動閉鎖装置との間の係合を容易にするために、反リフティング装置４の遠位端は、隆起１０の形の留め金部材を備えてよい。さらに、反リフティング装置４がそのアイドル位置とそのロック位置との間を前記軸Ａの周りに回転するように構成されるので、自動閉鎖装置は、反リフティング装置４がそのアイドル位置にあるときに反リフティング装置４と係合することができないように配置されてよい。それ故、取付具１は、戸板Ｄの設置または取り外しの間、自動閉鎖装置４に対する損壊の危険を低減させる。
【００４１】
隆起１０は、テーパープロフィールを有する反リフティング装置４の不可欠な部分として、好ましくは設けられる。隆起１０を含む反リフティング装置４の遠位部は、戸板Ｄが傾けられるのを防止するために作用する第１の部分、および隆起１０を形成する第２の部分を有してよい。反リフティング装置４がロック位置にあるときに、反リフティング装置４の遠位部の第１の部分が、ガイドレールＲと隆起１０との間の縦方向距離よりもわずかに小さい縦方向距離でガイドレールＲの下に配置されるように、反リフティング装置４の全長は、したがって、変化してよい。それ故、自動閉鎖装置は、正常に戸板Ｄを傾けさせて、しかしこの場合には遠位部の第１の部分の上昇の提供のせいで妨げられる高さを有してよい。
【００４２】
引き戸システムは、それが配置される場所に分解して届けられてよい。そしてそれは、顧客に対する特定の取付け指示を必要とする。以下に、引き戸システムの取付手順は、記載される。
【００４３】
第１ステップにおいて、取付具は、ベースプレートの貫通孔に挿入可能なネジによって、戸板に取り付けられる。好ましくは、ネジは、戸板に対する取付具の鉛直調整を許容するために締め付けられない。次のステップにおいて、取付具のローラをガイドレールの溝に位置決めすることによって、戸板は、ガイドレールに吊される。取付具の偏心器は、戸板をガイドレールに整列配置するために用いられる。そして、取付具を通るネジは、次いで、戸板に対する取付具の固定を提供するために締め付けられ。
【００４４】
ここまでの手順の間、反リフティング装置は、そのアイドル位置（すなわち、実質的に水平配置）にある。そうすると、反リフティング装置の遠位端は、水平を指している。しかしながら、反リフティング装置とガイドレールとの間の距離は、戸板がガイドレールから取り外されるかまたは吊されないことを許容するのに十分大きい。したがって、反リフティング装置の遠位端が鉛直を指しているように、顧客は、反リフティング装置をそのロック位置（すなわち、実質的に鉛直配置）に変換することを必要とする。反リフティング装置とガイドレールとの間の距離は、したがって、減少する。そうすると、取り外すことは、もはやできない。
【００４５】
戸板がガイドレールから取り外されようとする場合には、戸板が傾けられて続いてガイドレールから持ち上げ去られることができるために、反リフティング装置のそのアイドル位置への手動回転は、必要とされる。
【００４６】
上の／下の、第１の／第２の、鉛直に／水平に、遠位に／近位に、などのすべての参照は、その文脈において相対的な定義として読まれなければならない。特定の実施形態が記載されたにもかかわらず、添付の請求の範囲において定義した範囲を逸脱しない範囲で、さまざまな修正が取付具になされてよいことが理解されるべきである。
【００４７】
請求項において、「を備える／を含む」という用語は、他の要素またはステップの存在を排除しない。加えて、個々の特徴が異なる請求項に含まれてよいにもかかわらず、これらは、おそらく都合よく結合されてよい。そして、異なる請求項への包含は、特徴の組合せが可能でおよび／または有利でないことを意味しない。加えて、単一の参照は、複数を排除しない。用語「１」、「１つ」、「第１」、「第２」などは、複数を排除しない。請求項の参照符号は、単に実施例の明確化としてだけ設けられて、いかなる形であれ請求項の範囲を制限するものとして解釈されない。
【図１】
2014520223.tif 000003
【図２】
2014520223.tif 000004
【図３】
2014520223.tif 000005
【図４】
2014520223.tif 000006
【図５】
2014520223.tif 000007
【図６】
2014520223.tif 000008
【図７】
2014520223.tif 000009
【図８】
2014520223.tif 000010
【国際調査報告】
2014520223.tif 000011
2014520223.tif 000012